(57)【要約】【課題】コモンレール式燃料噴射装置用の圧力リリーフ弁の、実際の開弁圧を検知する。【解決手段】内燃機関により駆動される燃料ポンプ３と、燃料ポンプ３により加圧された高圧燃料を蓄える蓄圧レール１と、蓄圧レール１内の圧力であるコモンレール圧が所定値以上になると開弁する機械式リリーフ弁５と、気筒毎に設けたインジェクタ２と、を備える内燃機関の燃料噴射装置において、所定の運転状態時に、燃料ポンプ３の燃料圧送量を増量することにより、機械式リリーフ弁５が開弁するまでコモンレール圧を上昇させて、その開弁時の圧力を学習値として記憶する開弁圧学習制御を実行する。【選択図】図１
2010203387.tif 000002
【特許請求の範囲】
【請求項１】
内燃機関により駆動される燃料ポンプと、
前記燃料ポンプにより加圧された高圧燃料を蓄える蓄圧レールと、
前記蓄圧レール内の圧力であるコモンレール圧が所定値以上になると開弁する機械式リリーフ弁と、
気筒毎に設けたインジェクタと、
燃料カット条件成立時に所定期間、燃料噴射を継続する噴射量なまし制御手段と、を備える内燃機関の燃料噴射装置において、
前記燃料カット条件成立時であってかつ学習条件が成立した場合に、前記機械式リリーフ弁が開弁するまで前記コモンレール圧を上昇させて、その開弁時の圧力を学習値として記憶する開弁圧学習制御を実行する開弁圧学習手段を備えることを特徴とする内燃機関の燃料噴射装置。
【請求項２】
前記噴射量なまし手段は、前記燃料カット条件が成立したら、燃料噴射量を所定割合で徐々に減少させることを特徴とする請求項１に記載の内燃機関の燃料噴射装置。
【請求項３】
前記噴射量なまし手段は、前記学習値に基づいて噴射量を減少させる割合を補正することを特徴とする請求項２に記載の内燃機関の燃料噴射装置。
【請求項４】
前記開弁圧学習手段は、燃料カット条件が成立した後、所定時期まで待ってから前記燃料ポンプの燃料圧送量を増量することで、前記機械式リリーフ弁が開弁するまで前記コモンレール圧を上昇させて、前記開弁圧学習制御を開始することを特徴とする請求項１から３のいずれか一つに記載の内燃機関の燃料噴射装置。
【請求項５】
前記所定時期は、前記開弁圧学習制御によって前記機械式リリーフ弁が開弁してコモンレール圧が低下した状態での加速力であっても、運転者が違和感を覚えない程度までエンジン回転速度が低下する時期であることを特徴とする請求項４に記載の内燃機関の燃料噴射装置。
【請求項６】
前記開弁圧学習手段は、燃料カット条件が成立してから所定時期までは、前記コモンレール圧を所定値以上に維持することを特徴とする請求項４または５に記載の内燃機関の燃料噴射装置。
【請求項７】
前記開弁圧学習手段は、前記燃料カット条件成立後に前記コモンレール圧が所定量低下したら、その値を前記所定時期まで維持することを特徴とする請求項４または５に記載の内燃機関の燃料噴射装置。
【請求項８】
前記開弁圧学習手段は、前記機械式リリーフ弁が開弁した後は、再び閉弁するまで前記燃料ポンプの駆動を制限することを特徴とする請求項１から７のいずれか一つに記載の内燃機関の燃料噴射装置。
【請求項９】
前記開弁圧学習手段は、前記燃料カット条件成立時であってかつ学習条件が成立した場合に、前記燃料噴射量なまし制御手段による燃料噴射を禁止、若しくは制限することで、前記機械式リリーフ弁が開弁するまで前記コモンレール圧を上昇させて、その開弁時の圧力を学習値として記憶することを特徴とする請求項１から３のいずれか一つに記載の内燃機関の燃料噴射装置。
【発明の詳細な説明】
【技術分野】
【０００１】
本発明は、コモンレール式燃料噴射システムの制御に関し、特に、コモンレールに設けられた圧力リリーフ弁の開弁圧学習のための制御に関する。
【背景技術】
【０００２】
ディーゼルエンジンの排気性能の向上やエンジン出力の向上を図るために、コモンレールに蓄圧した高圧燃料を各気筒に噴射するコモンレール式燃料噴射システムが知られている。このようなコモンレール式燃料噴射システムにおいては、コモンレール内の圧力（レール圧）を高圧かつ一定に保つことが重要である一方、過剰に高圧になることは防止しなければならない。そこで、レール圧を所定圧力に制御するためのリリーフ弁を備えるコモンレール式燃料噴射システムが、特許文献１に開示されている。
【先行技術文献】
【特許文献】
【０００３】
【特許文献１】特開２００５−２４８８０７号公報
【発明の概要】
【発明が解決しようとする課題】
【０００４】
ところで、コモンレール式燃料噴射システムでは、例えば、減速時に燃料カットを実行する場合に、燃料ポンプの回転速度は急激には低下せず、慣性によって燃料を圧送し続けているにもかかわらず、燃料噴射弁は閉弁状態となる。このため、いわゆる圧力オーバーシュートによってレール圧が上昇する。機械式のリリーフ弁の場合、このような減速時の圧力オーバーシュートが生じるたびに開弁すると、リリーフ機構に用いるバネが早期に劣化してしまう。また、開弁したときに異物を噛み込むことにより、リリーフ弁が閉弁できなくなったり、その異物がシールを傷つけることで、通常運転時のレール圧を確保できなくなったりするおそれがある。すなわち、リリーフ弁が開弁する機会は少ない方が望ましい。そこで、圧力オーバーシュートが生じても、レール圧がリリーフ弁の開弁圧を超えないようにするための制御として、燃料噴射を急激に停止せずに、徐々に噴射量を低減させる制御（噴射量なまし）が知られている。
【０００５】
しかしながら、リリーフ弁には個体差による開弁圧のバラツキが存在する。このため、圧力オーバーシュート時の開弁を確実に防止するためには、バラツキの下限値でも開弁しないように噴射量なましを行う必要がある。しかし、開弁圧がバラツキの下限よりも大きいリリーフ弁の場合には、このような噴射量なましは不要な燃料供給となってしまい、燃費性能の悪化や、燃料のオイル希釈等といった問題が生じる。
【０００６】
これらの問題を解決するためには、実際の開弁圧を検知し、それに応じて噴射量なましを行えばよい。しかし、開弁圧はリリーフ弁の経年変化等によっても変化するため、エンジン組み立て時に開弁圧を測定しても、その効果は小さい。
【０００７】
そこで、リリーフ弁の実際の開弁圧を的確に検知することを目的とする。
【課題を解決するための手段】
【０００８】
本発明の内燃機関の燃料噴射装置は、内燃機関により駆動される燃料ポンプと、燃料ポンプにより加圧された高圧燃料を蓄える蓄圧レールと、蓄圧レール内の圧力であるコモンレール圧が所定値以上になると開弁する機械式リリーフ弁と、気筒毎に設けたインジェクタと、燃料カット条件成立時に所定期間、燃料噴射を継続する噴射量なまし制御手段とを備える内燃機関の燃料噴射装置に適用される。そして、前記燃料カット条件成立時であってかつ学習条件が成立した場合に、リリーフ弁が開弁するまでコモンレール圧を上昇させて、その開弁時の圧力を学習値として記憶する開弁圧学習制御を実行する開弁圧学習手段を備える。
【発明の効果】
【０００９】
本発明によれば、機関運転中にリリーフ弁の開弁圧を学習するので、経年変化等によらず、実際の開弁圧を正確に学習することができる。
【図面の簡単な説明】
【００１０】
【図１】本実施形態を適用する燃料供給システムの概略構成図である。
【図２】開弁圧学習制御のフローチャートである。
【図３】開弁圧学習制御を実行した場合のタイムチャートである。
【図４】噴射量なまし制御のフローチャートである。
【発明を実施するための形態】
【００１１】
以下本発明の実施形態を図面に基づいて説明する。
【００１２】
図１は、本実施形態を適用するディーゼルエンジン用の燃料供給システムの概略構成図である。この燃料供給システムは、高圧燃料を蓄圧する蓄圧タンクであるコモンレール１と、このコモンレール１に蓄圧された高圧燃料を各気筒の燃焼室内に噴射供給する複数個のインジェクタ２と、ディーゼルエンジンに回転駆動されるサプライポンプ３と、インジェクタ２及びサプライポンプ３を電子制御するエンジンコントロールユニット（ＥＣＵ）８を備える。
【００１３】
サプライポンプ３は、燃料タンク４内に配置された図示しないポンプから吐出された燃料をフィード配管６を介して導入し、エンジンのクランク軸の回転に伴って回転されて導入燃料を比較的低圧の燃料圧に加圧する低圧用フィードポンプと、同じくクランク軸の回転に伴って駆動されて、フィードポンプからの低圧燃料を加圧してコモンレール１に吐出する高圧用プランジャポンプとを備える。
【００１４】
サプライポンプ３からのリーク燃料は、リターン配管７を介して燃料タンク４に戻される。
【００１５】
コモンレール１は、サプライポンプ３から吐出される高圧燃料が連続的に供給されて燃料噴射圧力に相当する高い圧力（コモンレール圧）に蓄圧される。そこで、このコモンレール圧が限界設定圧を超える場合に、燃料をリターン配管７に吐出する機械式のリリーフ弁５を設けて、コモンレール圧が限界設定圧を超えないようにしている。
【００１６】
なお、コモンレール圧は、サプライポンプ３へ導入される燃料量をＥＣＵ８により調整することによって調整される。また、コモンレール１内の圧力は、図示しない圧力センサにより検出されて、ＥＣＵ８での演算にフィードバックされる。
【００１７】
インジェクタ２は気筒毎に装備され、コモンレール１より分岐する分岐管に接続されている。インジェクタ２の構造は、公知のものと同様であり、燃焼室内に高圧燃料を噴射して供給する噴射弁と、この噴射弁のニードルを開弁方向に駆動する電磁式アクチュエータとしての電磁ソレノイドと、前記ニードルを閉弁方向に付勢するバルブスプリングとを備える。
【００１８】
各気筒の分岐管を経由して供給された高圧燃料は、電磁ソレノイドの駆動による噴射弁の開弁により燃焼室に噴射される一方、電磁ソレノイドの作動に伴い一部の燃料は電磁ソレノイドの周辺部位を通過することにより電磁ソレノイドを冷却した後、リターン配管７に戻される。各インジェクタ２からの燃料の噴射は、電磁ソレノイドを駆動する図示しない駆動回路への、ＥＣＵ８から出力される電磁弁制御信号により電子制御される。
【００１９】
ＥＣＵ８は、制御処理および演算処理を行うＣＰＵ、各種プログラムおよびデータを保存・記憶するＲＯＭ、ＲＡＭ等の記憶装置、入力回路、出力回路等よりなるマイクロコンピュータと、その電源回路、インジェクタ駆動回路等を含むよう構成している。そして、ＥＣＵ８には、車両運転情報としてのアクセル開度信号、エンジン回転速度信号、燃料残量信号、燃温信号、コモンレール圧信号、冷却水温信号等が入力されるよう構成している。
【００２０】
また、ＥＣＵ８の記憶装置には、アクセル開度信号とエンジン回転速度に応じたコモンレール１の目標燃料圧力マップ、アクセル開度信号とエンジン回転速度とに応じた１気筒当たり要求燃料量のマップ、１気筒当たり要求燃料量と目標燃料圧力とに応じたインジェクタ２の開弁パルス幅のマップ、燃料残量と燃料温度とをパラメータとした運転制限割合を各設定したマップが予め記憶されている。
【００２１】
そして、ＥＣＵ８では、実際のコモンレール圧が、そのときのエンジンのアクセル開度信号と回転速度に応じてマップに設定した目標燃料圧力と一致するように、サプライポンプ３における高圧プランジャポンプの吐出量を制御する。
【００２２】
例えば、実際のコモンレール圧が目標燃料圧力より低いときには高圧プランジャポンプの吐出量を増やし実際のコモンレール圧を上昇させて目標燃料圧力に近づける。この逆に、実際のコモンレール圧が目標燃料圧力より高いときには、高圧プランジャポンプの吐出量を減らし実際のコモンレール圧を下降させて目標燃料圧力に近づける。
【００２３】
各気筒のインジェクタ２による所定のタイミングによる燃料噴射による各燃焼室への燃料供給により、所定の燃料が消失してコモンレール１内の燃料圧力が低下するので、上記したコモンレール圧の制御（高圧プランジャポンプの吐出量制御）は常に実行される。
【００２４】
また、アクセル開度信号とエンジン回転速度が定まれば、１気筒当たり要求燃料量が一義的に定まり、その１気筒当たり要求燃料量と目標燃料圧力が定まれば、インジェクタ２の開弁パルス幅が定まる。ＥＣＵ８は、そのときのアクセル開度信号とエンジン回転速度とから１気筒当たり要求燃料量のマップと目標燃料圧力のマップを検索して、１気筒当たり要求燃料量と目標燃料圧力を求め、これらからさらに燃料噴射パルス幅のマップを検索してインジェクタ２の開弁パルス幅を求め、所定の噴射タイミングとなったとき、この開弁パルス幅でインジェクタ２を開いて各気筒に燃料を供給する。
【００２５】
また、リリーフ弁５の実際の開弁圧を学習するための制御も行う。リリーフ弁５には個体差による開弁圧のバラツキが存在する。このため、圧力オーバーシュート時の開弁を確実に防止するために、バラツキの下限値でも開弁しないように噴射量なまし制御を行う。しかし、開弁圧がバラツキの下限よりも大きい場合には、このような噴射量なまし制御では無駄な燃料供給となってしまい、燃費性能の悪化や、燃料のオイル希釈等といった問題が生じてしまう。そこで、実際の開弁圧を検知し、それに応じてなまし量の補正を行うようにする。
【００２６】
図２は、リリーフ弁５の開弁圧学習のためにＥＣＵ８が実行する制御のフローチャートである。この制御は、エンジン始動から停止までの１トリップ中に１回実行すれば十分である。図３は、アクセル開度１００％で走行中のｔ０にアクセルを全閉にして減速を開始するときに、図２の制御を実行した場合のタイムチャートである。なお、アクセル開度１００％での走行中のコモンレール圧をＰ０とする。以下、フローチャートのステップに従って説明する。
【００２７】
ステップＳ１００では、アクセル開度がゼロ％、つまり全閉であるか否かを判定する。全閉の場合はステップＳ１１０へ進み、そうでない場合は処理を終了する。
【００２８】
ステップＳ１１０では、エンジン回転信号に基づいて、エンジン回転が安定しているか否かを判定する。安定している場合はステップＳ１２０へ進み、そうでない場合は処理を終了する。
【００２９】
ステップＳ１２０では、今回のトリップにおいて未だ学習を実行していない場合にリリーフ弁５の開弁圧の学習を許可して、ステップＳ１３０へ進む。
【００３０】
ステップＳ１３０では、再びアクセル開度が全閉か否かを判定し、全閉の場合はステップＳ１４０へ進み、そうでない場合は処理を終了する。
【００３１】
ステップＳ１４０では、噴射量なまし制御によって燃料カット条件成立後のコモンレール圧が待機用圧力Ｐ１まで低下したか否かを判定し、低下していれば、ステップＳ１５０で待機用圧力Ｐ１を維持するようサプライポンプ３を駆動する。低下していない場合は、低下するまでステップＳ１３０、Ｓ１４０を繰り返す。
【００３２】
待機用圧力Ｐ１に維持するのは、コモンレール圧を低下させるほど、リリーフ弁５の開弁圧まで上昇させるのに要する時間が長くなり、また、加速要求があった場合の加速性能が低下するためである。これは、サプライポンプ３の回転がエンジン回転速度に相関しているためである。したがって、リリーフ弁５の開弁圧まで上昇するのに要する時間や加速要求時の加速性能等を考慮して、待機用圧力Ｐ１を設定する。なお、待機用圧力Ｐ１まで低下したときをｔ１とする。
【００３３】
ステップＳ１６０では、所定の時期ｔ２になったか否かを判定する。ｔ２は、上述した待機用圧力Ｐ１に維持していなければ、コモンレール圧がＰ３となっていると推定される時期である。圧力Ｐ３は、リリーフ弁５が開弁したときのコモンレール圧である。このように設定する理由は、次の通りである。
【００３４】
サプライポンプ３の駆動はエンジン回転速度と相関があるため、コモンレール圧とエンジン回転速度には相関がある。つまり、減速時には、エンジン回転速度が低下するほどコモンレール圧が低下する。しかし、リリーフ弁５の開弁圧学習のためにコモンレール圧を上昇させて開弁させると、エンジン回転速度とは関係なく、コモンレール圧は急激に低下する。一方、運転者は、エンジン回転速度が中高回転の状態でアクセルをオンにした場合には、低回転の状態でアクセルをオンにした場合よりも、速やかな加速が得られると期待する。
【００３５】
このため、エンジン回転速度がまだ中高回転域にある状態でリリーフ弁５が開弁すると、エンジン回転速度は中高回転なのに、コモンレール圧は低回転域の場合と同様の低圧となってしまい、運転者は期待する加速力が得られず違和感を覚えるという事態が生じる。
【００３６】
そこで、リリーフ弁５が開弁してコモンレール圧が低下した状態での加速力であっても、運転者が違和感を覚えない程度までエンジン回転速度が低下するｔ２まで待ってから、コモンレール圧を上昇させることとする。
【００３７】
ｔ２になったか否かの判定は、具体的には、ｔ０からｔ１までの期間におけるコモンレール圧の低下の傾きから、所定圧Ｐ３となる時間ｔ２を予測し、ＥＣＵ８内のカウンタを用いて判定する。なお、ｔ０でアクセル開度が全閉になったら、ただちには燃料噴射を禁止する燃料カット制御へ移行せずに、後述する噴射量なまし制御を本フローチャートと並行して実行する。これは、コモンレール圧のオーバーシュートを防止するためである。
【００３８】
ステップＳ１７０では、サプライポンプ３の回転数が所定の下限値以上であるか否かを判定し、下限値以上であればステップＳ１８０へ進み、そうでなければ処理を終了する。所定の下限値は、その状態からサプライポンプ３の駆動力を最大に切り替えれば、所定時間内にコモンレール圧をリリーフ弁５の開弁圧まで上昇させることができるような回転数の下限値である。つまり、サプライポンプ３やエンジンの仕様等によって異なる値である。
【００３９】
下限値より低下している場合に処理を終了するのは、リリーフ弁５の開弁圧まで上昇させることが出来ないおそれがあるためである。
【００４０】
ステップＳ１８０〜Ｓ２００では、リリーフ弁５が開弁するまでサプライポンプ３を全開で駆動し、開弁したらサプライポンプ３の回転数を低下させ、開弁したときのコモンレール圧をＥＣＵ８内に記憶する。リリーフ弁５の開弁時は、コモンレール圧を検出する圧力センサの検出信号を逐次読み込んでいき、コモンレール圧が上昇から下降に転じた時を開弁時とすればよい。そして、この制御中のコモンレール圧の最大値を開弁圧とする。なお、リリーフ弁５の開度センサを設けて検出することもできる。
【００４１】
ステップＳ２１０では、所定時間が経過したか否かを判定し、経過している場合は処理を終了する。そして、経過していない場合はステップＳ２２０でサプライポンプ３の圧送量を制限する。つまり、加速要求があっても、これを無視する。
【００４２】
所定時間が経過したか否かの判定は、例えば、ｔ４になっているか否かで判定することができる。ｔ４は、ｔ３で開弁したリリーフ弁５が、サプライポンプ３の圧送を停止した状態で、再び閉弁する時期である。閉弁までに要する時間を予め測定しておき、ｔ３で開弁したらこれに基づいてｔ４を設定する。
【００４３】
ｔ４になるまでサプライポンプ３の圧送を制限するのは、リリーフ弁５が閉弁する前に圧送を行うと、リリーフ弁５が閉弁できなくなり、その後の加速要求等に応じることができなくなるからである。
【００４４】
上記の制御をまとめると、次の通りである。ｔ０でアクセル開度が全閉になったら、燃料噴射量のなまし制御を開始して、コモンレール圧が待機用圧力Ｐ１まで低下するまで待つ。そして、ｔ１で待機用圧力Ｐ１になったら、ｔ２まで待機用圧力Ｐ１を維持し、ｔ２でリリーフ弁５が開弁するまでコモンレール圧を上昇させる。ｔ３で開弁したら開弁圧を記憶し、ｔ４まではサプライポンプ３の圧送を制限して、処理を終了する。
【００４５】
この制御を減速時に行うのは、次のような理由による。開弁圧学習のためにリリーフ弁５を開弁させると、コモンレール圧は低下する。一方、減速時は、エンジン回転速度の低下に伴ってコモンレール圧も低下する。つまり、減速時であれば、開弁圧学習のためにリリーフ弁５を開弁させたときのコモンレール圧の変化の方向と、運転状態によるコモンレール圧の変化の方向が一致する。そこで、当該制御を減速時に行う。
【００４６】
図４は、燃料噴射量のなまし制御のフローチャートである。
【００４７】
ステップＳ２００では、燃料カット条件が成立しているか否かを判定する。燃料カット条件は、エンジン回転速度や車速が所定値以上等、公知のものと同様の条件を用いればよい。
【００４８】
燃料カット条件が成立してなければ処理を終了し、成立していればステップＳ２１０へ進む。
【００４９】
ステップＳ２１０では、噴射量のなまし演算を行う。具体的には、下式（１）によりなまし後の噴射量Ｑａｄｄを算出する。
【００５０】
Ｑａｄｄ（ｉ）＝Ｑａｄｄ（ｉ−１）−ＤＱ（ｉ−１）×Ｋ      ・・・（１）
ただし、ＤＱ＝Ｑａｄｄ−Ｑｂａｓｅ
Ｑｂａｓｅ：なまし前噴射量
Ｋ：ダンピング係数
ダンピング係数Ｋは、リリーフ弁５の設計上の開弁圧に基づいて、減速時等の圧力オーバーシュートが発生したときにリリーフ弁５が開弁しないような燃料噴射量となるように、予め設定する。
【００５１】
ステップＳ２２０では、なまし後噴射量Ｑａｄｄとなまし前噴射量Ｑｂａｓｅを比較する。なまし後噴射量Ｑａｄｄの方が大きい場合は、ステップＳ２３０へ進んで、なまし後噴射量Ｑａｄｄで燃料噴射を行う。一方、なまし前噴射量Ｑｂａｓｅの方が大きい場合は、なまし制御を終了して、なまし前噴射量Ｑｂａｓｅで燃料噴射を行う。
【００５２】
ここで、図２の制御によりリリーフ弁５の開弁圧を学習したら、その学習値に基づいてダンピング係数Ｋの補正を行うこととする。
【００５３】
具体的には、実際の開弁圧が高いほど、ダンピング係数Ｋが大きくなるように補正する。これは、開弁圧が高いほど、許容し得る圧力オーバーシュート量が大きくなるので、早期に燃料噴射量を低減して、なまし制御による燃費性能の悪化を抑制するためである。
【００５４】
一方、実際の開弁圧が低いほど、ダンピング係数Ｋが小さくなるように補正する。これは、圧力オーバーシュートによるリリーフ弁５の開弁を確実に防止するためである。
【００５５】
以上により、本実施形態によれば、次のような効果が得られる。
【００５６】
（１）燃料カット条件成立時に所定期間、燃料噴射を継続する噴射量なまし制御を行うシステムにおいて、燃料カット条件成立時であってかつ学習条件が成立した場合に、サプライポンプ３の燃料圧送量を増量することにより、リリーフ弁５が開弁するまでコモンレール圧を上昇させて、その開弁時の圧力を学習値として記憶するので、実際の開弁圧を経年変化等によらず正確に学習することができる。また、学習のためのコモンレール圧の変化の方向と運転状態によるコモンレール圧の変化の方向が一致するので、開弁圧学習を実行することによる通常の運転への影響が小さい。
【００５７】
（２）燃料カット条件が成立したら、燃料噴射量を所定割合で徐々に減少させる噴射量なまし制御を実行するので、減速時の圧力オーバーシュートを抑制できる。
【００５８】
（３）開弁圧学習値に基づいて噴射量なまし制御時のダンピング係数Ｋを補正するので、なまし制御時に必要以上の燃料を噴射することを防止でき、燃費性能の向上を図ることができる。
【００５９】
（４）燃料カット条件成立後の所定時期ｔ２から、開弁圧学習のための制御、つまりサプライポンプ３の燃料圧送量を増量して、リリーフ弁５が開弁するまでコモンレール圧を上昇させる制御を開始するので、減速状態からの再加速時に、運転者の期待に反する加速不良感を回避することができる。
【００６０】
（５）所定時期ｔ２は、開弁圧学習制御によってリリーフ弁５が開弁してコモンレール圧が低下した状態での加速力であっても、運転者が違和感を覚えない程度までエンジン回転速度が低下する時期なので、開弁圧学習制御によって生ずる加速性能の低下によって運転者に違和感を与えることを回避できる。
【００６１】
（６）燃料カット条件が成立してから所定時期ｔ２までは、コモンレール圧を所定値Ｐ１以上に維持するので、途中で再加速要求があったときに、運転者の期待通りの加速を行うことができる。
【００６２】
（７）燃料カット条件成立後にコモンレールがＰ１まで低下したら、その値を所定時期ｔ２まで維持するので、途中で再加速要求があったときに、運転者の期待通りの加速を行うことができる。
【００６３】
（８）リリーフ弁５が開弁した後は、再び閉弁するまでサプライポンプ３の駆動を制限するので、リリーフ弁５を確実に閉弁することができる。
【００６４】
（９）燃料カット条件成立時であってかつ学習条件が成立した場合に、燃料噴射量なまし制御を禁止、若しくはなまし噴射による噴射量を制限して開弁圧学習を行うことにより、リリーフ弁をより開弁させやすくなり、幅広い運転状態で開弁圧学習を実施できる。
【００６５】
なお、本発明は上記の実施の形態に限定されるわけではなく、特許請求の範囲に記載の技術的思想の範囲内で様々な変更を成し得ることは言うまでもない。
【００６６】
例えば、上記説明では、噴射量なまし制御を行い、その後にサプライポンプ３を駆動することでリリーフ弁５を強制的に開弁させて開弁圧を学習したが、以下のようにして強制的にリリーフ弁５を開弁させても良い。
【００６７】
アクセル開度が全閉となった場合に、噴射量なまし制御を禁止、つまり燃料カット条件が成立したら即、燃料カットすることで、強制的にリリーフ弁を開弁させても良い。
【００６８】
燃料カット前の運転状態によってはリリーフ弁５が開弁しない可能性もあるので、そのような運転状態からの燃料カット時にはサプライポンプ３からの燃料供給量を増加させて確実にリリーフ弁５を開弁させても良い。また、そのような運転状態では学習を禁止しても良い。
【００６９】
また、噴射量なまし制御を禁止するのみではなく、噴射量なまし制御による燃料噴射量を制限しても同様の効果が得られる。その際に、確実にリリーフ弁５を開弁させる必要があるので、上記同様にサプライポンプ３からの燃料供給量を増加させて確実にリリーフ弁５を開弁させても良い。
【符号の説明】
【００７０】
１    コモンレール
２    インジェクタ
３    サプライポンプ
４    燃料タンク
５    リリーフ弁
６    フィード配管
７    リターン配管
８    コントロールユニット（ＥＣＵ）
【図１】
2010203387.tif 000003
【図２】
2010203387.tif 000004
【図３】
2010203387.tif 000005
【図４】
2010203387.tif 000006